(57)【要約】【課題】全体を小さく薄くしながら、ラミネート電池が膨れてもプレートを枠体から外れないようにしっかりと連結する。【解決手段】バッテリーパックは、四角形の枠体部４に第１のプレート５と第２のプレート６を連結して、内部にラミネート電池１を収納している。第１のプレート５と第２のプレート６は金属板で、その周縁部分を内側にＬ字状に折曲して折曲挿入片１２を設けている。枠体部４の両面には、第１のプレート５と第２のプレート６の折曲挿入片１２を挿入する係止溝１１を設けている。折曲挿入片１２と係止溝１１は、いずれか一方に係止凸部１８を、他方に係止凸部１８を係止する係止凹部１９を設けている。第１のプレート５と第２のプレート６の折曲挿入片１２を枠体部４の両面の係止溝１１に入れて、係止凸部１８を係止凹部１９に案内し、第１のプレート５と第２のプレート６を枠体部４に連結している。【選択図】  図５
2004273371.tif 000002
【特許請求の範囲】
【請求項１】
第１の外装フィルム（１Ａ）と第２の外装フィルム（１Ｂ）の間に電極を挟んで、第１の外装フィルム（１Ａ）と第２の外装フィルム（１Ｂ）を電極の外周の一部あるいは全周でラップし、このラップ部（１ａ）を結合して内部に電極を内蔵して外形を四角形とするラミネート電池（１）と、このラミネート電池（１）の第１の外装フィルム（１Ａ）表面側に積層している第１のプレート（５）と、第２の外装フィルム（１Ｂ）表面側に積層している第２のプレート（６）と、ラミネート電池（１）の外周縁に沿って配設されて、第１のプレート（５）と第２のプレート（６）の外周縁部分を連結している四角形の枠体部（４）を備えており、
第１のプレート（５）と第２のプレート（６）は金属板で、その周縁部分を内側にＬ字状に折曲して折曲挿入片（１２）を設けており、
四角形の枠体部（４）は、第１のプレート（５）と第２のプレート（６）の折曲挿入片（１２）を挿入する係止溝（１１）を両面に設けており、
さらに、折曲挿入片（１２）と係止溝（１１）には、いずれか一方に係止凸部（１８）を、他方に係止凸部（１８）を抜けないように係止する係止凹部（１９）を設けており、
第１のプレート（５）と第２のプレート（６）の折曲挿入片（１２）を枠体部（４）の両面の係止溝（１１）に入れ、係止凸部（１８）を係止凹部（１９）に案内して、第１のプレート（５）と第２のプレート（６）を枠体部（４）に連結し、第１のプレート（５）と第２のプレート（６）と枠体部（４）とで形成されるケース内にラミネート電池（１）を収納しているバッテリーパック。
【請求項２】
第１の外装フィルム（１Ａ）と第２の外装フィルム（１Ｂ）の間に電極を挟んで、第１の外装フィルム（１Ａ）と第２の外装フィルム（１Ｂ）を電極の外周の一部あるいは全周でラップし、このラップ部（１ａ）を結合して内部に電極を内蔵して外形を四角形とするラミネート電池（１）と、このラミネート電池（１）の第１の外装フィルム（１Ａ）表面側に積層している第１のプレート（５）と、第２の外装フィルム（１Ｂ）表面側に積層している第２のプレート（６）と、ラミネート電池（１）の外周縁に沿って配設されて、第１のプレート（５）と第２のプレート（６）の外周縁部分を連結している四角形の枠体部（４）を備えており、
第２のプレート（６）と枠体部（４）をプラスチックで一体的に成形して、第１のプレート（５）を金属板として、第１のプレート（５）は周縁部分を内側にＬ字状に折曲して折曲挿入片（１２）を設けており、
第２のプレート（６）と一体的に成形している四角形の枠体部（４）は、第１のプレート（５）の折曲挿入片（１２）を挿入する係止溝（１１）を表面に設けており、
さらに、折曲挿入片（１２）と係止溝（１１）には、いずれか一方に係止凸部（１８）を、他方に係止凸部（１８）を抜けないように係止する係止凹部（１９）を設けており、
第１のプレート（５）の折曲挿入片（１２）を枠体部（４）の係止溝（１１）に入れ、係止凸部（１８）を係止凹部（１９）に案内して、第１のプレート（５）を枠体部（４）に連結し、第１のプレート（５）と第２のプレート（６）と枠体部（４）とで形成されるケース内にラミネート電池（１）を収納しているバッテリーパック。
【請求項３】
折曲挿入片（１２）が表面から突出する係止凸部（１８）を有し、この折曲挿入片（１２）は金属板を溝形に切断して、切断片を表面から突出するように折曲して係止凸部（１８）としている請求項１または２に記載されるバッテリーパック。
【請求項４】
切断片を、折曲挿入片（１２）の挿入方向と逆方向に向かって折曲挿入片（１２）の表面から次第に離れるように折曲している請求項３に記載されるバッテリーパック。
【請求項５】
係止凹部（１９）が貫通孔である請求項１または２に記載されるバッテリーパック。
【発明の詳細な説明】
【０００１】
【発明の属する技術分野】
本発明は、ラミネート電池を内蔵するバッテリーパックに関する。
【０００２】
【従来の技術】
ポリマー電池は、電極の両面に外装フィルムを積層し、両面の外装フィルムを電極の周縁で気密に密着して製作される。この構造のポリマー電池は、金属製の外装缶に電極を挿入している電池に比較すると、薄くて大きくできる特長がある。しかしながら、ポリマー電池は、金属製の外装缶がないための欠点もある。外装フィルムの強度が金属缶に比較すると弱いので、表面に損傷を受けやすいことである。この弊害を解消するために、ポリマー電池を外装ケースに入れているパック電池が開発されている。（特許文献１参照）。この公報に記載されるパック電池は、図１に示すように、上下ケース２２にポリマー電池２１を収納している。上下ケース２２は、枠体２３にプレート２４を連結している。
【０００３】
【特許文献１】
特開平１１−１１１２５０号公報
【０００４】
【発明が解決しようとする課題】
以上の構造のパック電池は、ポリマー電池２１の両面をプレート２４で保護できるが、プレート２４をしっかりと外れないように枠体２３に連結するのが難しい。ポリマー電池２１は、金属ケースでなくて外装フィルムで電極を被覆するので、全体を薄くできる特長はある。ただ、使用条件によっては内圧が上昇して外装フィルムが膨れることがある。ポリマー電池２１の外装フィルムが、図２の鎖線で示すように膨れると、プレート２４が枠体２３の内側に抜けて外れる弊害がある。この弊害を避けるために、枠体の幅を広くすると、バッテリーパックの外形が大きくなってしまう。さらに、枠体の幅を広くしても、プレートが膨れるポリマー電池で変形されて枠体との結合が外れるとと、枠体が変形してプレートからさらに外れやすくなってしまう。とくに、プラスチックで成形される枠体は、バッテリーパックの外形をできるかぎり小さくするために、幅が狭くなるように成形される。この枠体は、充分な強度とすることが難しく、プレートとの結合が外れると、さらに変形しやすくなって、プレートから外れやすくなる。この弊害をさけるために、枠体の幅を広くすると、バッテリーパックの外形が大きくなる欠点がある。バッテリーパックは、できるかぎりコンパクトにして容量を大きくすることが要求される。したがって、ポリマー電池を収納する部分はできるかぎり小さくすることが極めて大切である。さらに、図２のバッテリーパックは、枠体２３の内側にプレート２４を挿入して結合するので、枠体２４の厚さをポリマー電池よりも厚くする必要がある。したがって、バッテリーパック全体が厚くなってしまう欠点もある。
【０００５】
本発明は、このような欠点を解決することを目的に開発されたものである。本発明の重要な目的は、全体を小さく薄くしながら、ラミネート電池が膨れてもプレートを枠体から外れないようにしっかりと連結できるバッテリーパックを提供することにある。
【０００６】
【課題を解決するための手段】
本発明のバッテリーパックは、ラミネート電池１を、第１のプレート５と第２のプレート６を連結しているケースに収納している。ラミネート電池１は、第１の外装フィルム１Ａと第２の外装フィルム１Ｂの間に電極を挟んで、第１の外装フィルム１Ａと第２の外装フィルム１Ｂを電極の外周の一部あるいは全周でラップし、このラップ部１ａを結合して内部に電極を内蔵して外形を四角形としている。第１のプレート５は、ラミネート電池１の第１の外装フィルム１Ａ表面側に積層される。第２のプレート６は、第２の外装フィルム１Ｂ表面側に積層される。枠体部４は四角形で、ラミネート電池１の外周縁に沿って配設されて、第１のプレート５と第２のプレート６の外周縁部分を連結している。
請求項１のバッテリーパックは、第１のプレート５と第２のプレート６を金属板として、その周縁部分を内側にＬ字状に折曲して折曲挿入片１２を設けており、枠体部４の両面には、第１のプレート５と第２のプレート６の折曲挿入片１２を挿入する係止溝１１を設けている。
さらに、バッテリーパックは、折曲挿入片１２と係止溝１１のいずれか一方に係止凸部１８を、他方に係止凸部１８を抜けないように係止する係止凹部１９を設けており、第１のプレート５と第２のプレート６の折曲挿入片１２を枠体部４の両面の係止溝１１に入れて、係止凸部１８を係止凹部１９に案内し、第１のプレート５と第２のプレート６を枠体部４に連結している。
【０００７】
本発明の請求項２のバッテリーパックは、第２のプレート６と枠体部４をプラスチックで一体的に成形して、第１のプレート５を金属板として、第１のプレート５に折曲挿入片１２を設けて、枠体部４の表面に、第１のプレート５の折曲挿入片１２を挿入する係止溝１１を設けている。
さらに、このバッテリーパックは、第１のプレート５の折曲挿入片１２と枠体部４の係止溝１１のいずれか一方に係止凸部１８を、他方に係止凸部１８を抜けないように係止する係止凹部１９を設けており、第１のプレート５の折曲挿入片１２を枠体部４の係止溝１１に入れて、係止凸部１８を係止凹部１９に案内し、第１のプレート５を枠体部４に連結している。
【０００８】
金属板であるプレートの折曲挿入片１２に係止凸部１８を設けるバッテリーパックは、金属板を溝形に切断し、切断片を表面から突出するように折曲して係止凸部１８を設けることができる。この係止凸部１８は、切断片を、折曲挿入片１２の挿入方向と逆方向に向かって折曲挿入片１２の表面から次第に離れるように折曲して、係止溝１１にスムーズに挿入できる。
【０００９】
【発明の実施の形態】
以下、本発明の実施例を図面に基づいて説明する。ただし、以下に示す実施例は、本発明の技術思想を具体化するためのバッテリーパックを例示するものであって、本発明はバッテリーパックを以下のものに特定しない。
【００１０】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１１】
図３ないし図１２に示すバッテリーパックは、ラミネート電池１と、このラミネート電池１の第１の外装フィルム１Ａの表面側に積層している第１のプレート５と、第２の外装フィルム１Ｂの表面側に積層している第２のプレート６と、ラミネート電池１の外周縁に沿って配設されて、第１のプレート５と第２のプレート６の外周縁部分を連結している四角形の枠体部４を備えている。
【００１２】
さらに、図１３ないし図１５の一部断面図に示すバッテリーパックは、ラミネート電池１のラップ部１ａに、出力端子８を固定している端子基板２を配設している。図１３と図１４のバッテリーパックは、端子基板２とラップ部１ａとの間に基板ホルダー３を配設している。図１５のバッテリーパックは、ラップ部１ａの一方の面に端子基板２を配設して、反対側の面にスペーサー１３を配設している。
【００１３】
ラミネート電池１は、第１の外装フィルム１Ａと第２の外装フィルム１Ｂの間に電極を挟んで、第１の外装フィルム１Ａと第２の外装フィルム１Ｂの全周ないし一部を電極の外周でラップし、このラップ部１ａを結合して内部に電極を内蔵している。図のラミネート電池１はポリマー電池である。ただ、本発明は、ラミネート電池をポリマー電池に特定しない。ラミネート電池には、電極を外装フィルムでラミネートしてなる他の全ての電池が使用できる。図のラミネート電池１は、四角形で、その両側と一方の端部で外装フィルムのラップ部１ａを設け、すなわち、四角形の３辺に設けたラップ部１ａで第１の外装フィルム１Ａと第２の外装フィルム１Ｂとを、接着や溶着等の方法で気密に結合している。図のラミネート電池１は、１枚の外装フィルムを電極のひとつの辺で折り返して、電極の一方の面をカバーする部分を第１の外装フィルム１Ａとし、電極の他方の面をカバーする面を第２の外装フィルム１Ｂとしている。この構造のラミネート電池１は、電極の１辺に沿って外装フィルムを折り返すので、ひとつの辺にはラップ部１ａがなく、３辺がラップ部１ａとなる。図示しないが、ラミネート電池は、４辺の外周にラップ部を設けた構造とすることもある。このラミネート電池は、電極の両面に分離された２枚の外装フィルムを重ね、電極周囲の４辺のラップ部で結合して製作される。
【００１４】
図１３と図１４に示すラミネート電池１は、第１の外装フィルム１Ａを平面状としている。第１の外装フィルム１Ａを平面状とするために、第２の外装フィルム１Ｂは電極の周囲に沿って折曲され、ラップ部１ａで第１の外装フィルム１Ａに結合される。このラミネート電池１は、図１３と図１４の断面図に示すように、ラップ部１ａの片方にのみ基板ホルダー３と端子基板２を設けて、ラップ部１ａを電極収納部１ｂと同じ厚さにできる。ただし、本発明のバッテリーパックは、図１５の断面図に示すように、第１の外装フィルム１Ａと第２の外装フィルム１Ｂの両方を電極に沿って折曲するラミネート電池１とすることもできる。このバッテリーパックは、ラップ部１ａの表面側には基板ホルダー３と端子基板２を設けて、出力端子８を電極収納部１ｂと同一平面とし、ラップ部１ａの裏面にはスペーサー１３を配置して、ラップ部１ａを補強する。
【００１５】
ラミネート電池１は、電極の両側に位置するラップ部１ａを電極の側面に沿うように折曲している。図６、図７、図１１、図１２のラミネート電池１は、電極両側に設けているラップ部１ａの幅を電池の厚さよりも狭くして、表面に段差スペース部７を設けている。枠体部４は、図７に示すように、段差スペース部７に突出するように、枠体部４の内周に沿って伸びるリブ１５を内側に突出するように枠体部４に一体的に成形して設けて、リブ１５をラミネート電池１の段差スペース部７に配設することもできる。図に示すように、電極両側のラップ部１ａを電極に沿って折曲しているラミネート電池１は、両側のラップ部１ａを両側に突出させないので全体の幅を狭くできる。また、図４と図９に示すように、両側の折曲ラップ部１ａが、出力端子８を設けるラップ部１ａが曲がるのを阻止する補強リブの作用をして、この部分を補強できる。さらに、枠体部４の内面に無駄な隙間ができないように装着できる特長もある。
【００１６】
ラミネート電池１は、出力端子８を設けるラップ部１ａに正負の出力リード９を設けている。出力リード９は、図示しないが、第１の外装フィルムと第２の外装フィルムとの間に気密に挟着されて外部に引き出される。出力リード９は、保護素子１０を介してバッテリーパックの出力端子８に接続される。このラミネート電池１は、四角形である枠体部４の内部に嵌入される。
【００１７】
枠体部４は、全体をプラスチックで四角形の枠形に成形している。図３ないし図７に示すバッテリーパックは、枠体部４を第１のプレート５及び第２のプレート６と別パーツとしてプラスチックで成形している。図８ないし図１２に示すバッテリーパックは、枠体部４と第２のプレート６とをプラスチックで一体的に成形している。
【００１８】
枠体部４は、枠の内形を、端子基板２と基板ホルダー３を装着しているラミネート電池１を嵌入できる大きさとしている。さらに、枠体部４は、これを設けることでバッテリーパックが厚くならないように、嵌入されるラミネート電池１の表面と同一ないしほぼ同一面となり、あるいはラミネート電池１の表面よりも低くなる厚さに成形される。
【００１９】
四角形の枠体部４は、表面に係止溝１１を設けている。図５ないし図７の枠体部４は、両面に係止溝１１を設けて、枠体部４の両面に第１のプレート５と第２のプレート６を連結している。図１０ないし図１２の枠体部４は、第２のプレート６を一体的に成形しているので、一方の表面にのみ係止溝１１を設けて、枠体部４に第１のプレート５を連結している。係止溝１１は、プレートの先端縁に設けている折曲挿入片１２を入れて連結する幅と深さに成形している。
【００２０】
枠体部４の係止溝１１に挿入して連結されるプレートは金属板である。図３ないし図７のバッテリーパックは、第１のプレート５と第２のプレート６を、枠体部４の係止溝１１に入れて連結するので、第１のプレート５と第２のプレート６を金属板としている。図８ないし図１２に示すバッテリーパックは、第１のプレート５を枠体部４の係止溝１１に入れて連結し、第２のプレート６を枠体部４とプラスチックで一体的に成形しているので、第１のプレート５のみを金属板としている。金属板であるプレートは、係止溝１１に連結するために、その周縁部分を内側にＬ字状に折曲して折曲挿入片１２を設けている。折曲挿入片１２は、プレートの全周に設けられ、あるいは隅部を除く部分に設けられる。
【００２１】
折曲挿入片１２が、入れた係止溝１１から抜けないように、プレートと係止溝１１のいずれか一方には係止凸部１８を、他方にはこの係止凸部１８を入れて抜けないように係止する係止凹部１９を設けている。図５と図６、図１０と図１１のバッテリーパックは、プレートの折曲挿入片１２に係止凸部１８を設け、係止溝１１に係止凸部１８を入れる係止凹部１９を設けている。図７と図１２のバッテリーパックは、係止溝１１に係止凸部１８を設けて、この係止凸部１８を入れる係止凹部１９をプレートに設けている。係止凸部１８と係止凹部１９は、プレートを枠体部４にしっかりと連結できるように複数箇所に設けている。図に示すプレートは、四角形である全ての辺、すなわち４辺に折曲挿入片１２を設けているので、この４辺に複数の係止凸部１８と係止凹部１９とを配設して、理想的な状態でプレートを枠体部４にしっかりと外れないように連結できる。
【００２２】
プレートの折曲挿入片１２に設けている係止凸部１８は、図１６の斜視図に示すように、金属板を溝形に切断して、切断片を表面から突出するように折曲して、切断片を係止凸部１８としている。切断片は、折曲挿入片１２の挿入方向と逆方向に向かって、図の矢印で示す方向に向かって、折曲挿入片１２の表面から次第に離れるように折曲している。切断片は、折曲挿入片１２を係止溝１１に入れるときに弾性変形してスムーズに係止溝１１に挿入される。図の切断片は、鈍角に折曲して係止凸部１８としているが、図１７に示すように、切断片を鋭角に折曲して係止凸部１８とすることもできる。
【００２３】
係止溝１１は、プレートに設けている係止凸部１８を入れる係止凹部１９を設けている。図の枠体部４は、互いに平行な外壁４ａと内壁４ｂとを隙間ができように連結部４ｃで連結して、外壁４ａと内壁４ｂとの間を係止溝１１としている。内壁４ｂには、係止凸部１８を入れる係止凹部１９として貫通孔を設けている。内壁４ｂに貫通孔を設けて係止凹部１９とする枠体部４は、薄くして係止凸部１８を抜けないように連結できる。ただし、係止凹部は、必ずしも貫通孔とする必要はなく、内壁の内面に凹部を設けて係止凹部とすることもできる。
【００２４】
さらに、図の枠体部４は、内壁４ｂに係止凹部１９を設けているが、外壁に係止凹部を設けることもできる。外壁に係止凹部を設ける構造のバッテリーパックは、外壁の係止凹部に案内されるように、折曲挿入片から外壁の方向に向かって突出するように係止凸部を設ける。
【００２５】
係止溝１１の幅は、金属板である折曲挿入片１２の係止凸部１８を弾性変形させて挿入させるようにする。この幅の係止溝１１に挿入された折曲挿入片１２は、弾性的な復元力で係止凸部１８が弾性変形させないもとの形状に復元する。もとの形状に復元した係止凸部１８は、係止凹部１９に引っかけられて、折曲挿入片１２が係止溝１１から抜けるのを阻止する。
【００２６】
折曲挿入片１２に係止凹部１９を設けて係止溝１１に係止凸部１８を設けるバッテリーパックは、図７と図１２に示すように、折曲挿入片１２に係止凹部１９として貫通孔を設けて、係止溝１１の内面に突出するように係止凸部１８を設けている。係止凸部１８は、プラスチックで枠体部４を成形する工程で枠体部４に一体的に成形して設けられる。係止凸部１８は係止溝１１の内側に突出するので、この部分を成形する金型を、図の矢印Ａで示すように、係止凸部１８の突出方向に脱型する必要がある。図７と図１２の枠体部４は、外壁４ａに係止凸部１８を設けているので、金型を矢印Ａで示す方向に脱型する。金型を矢印Ａで示す方向に脱型するために、内壁４ｂは係止凸部１８を設けている部分と対向する部分を切除部４ｄとして、金型を脱型できるようにしている。外壁４の内面に突出して係止凸部１８を設ける枠体部４は、金型を脱型するための切除部を外壁４に設ける必要がない。このため、外壁４を切除部のない連続壁として成形できる。ただ、図示しないが、枠体部は、係止凸部を内壁から係止溝の内面に突出するように設けることもできる。
【００２７】
図７と図１２の係止凸部１８は、折曲挿入片１２の挿入方向に向かって上り勾配となる形状に成形している。この係止凸部１８は、折曲挿入片１２をスムーズに挿入できる。また、図の係止凸部１８は、係止凹部１９との係止面を垂直面として、抜けない構造としている。係止凸部１８の係止面は、図の鎖線で示すように、傾斜面としてより折曲挿入片１２を引き抜かれないようにすることもできる。この係止凸部１８の係止面は、折曲挿入片１２に引き抜き力が作用すると、折曲挿入片１２が係止凸部１８を設けている方向に移動するように傾斜している。
【００２８】
係止凸部１８を内面に突出させている係止溝１１は、その最小幅を折曲挿入片１２の厚さよりも狭くしている。図７と図１２の係止溝１１の最小幅は、係止凸部１８の先端と内壁４ｂの内面との間隔である。係止凸部を内壁に設けている枠体部は、係止溝の最小幅が係止凸部の先端と外壁の内面との間隔となる。係止溝１１の幅は、係止凸部１８の先端と、係止凸部１８が対向する係止溝１１の内面との間隔となる。この構造の枠体部４は、外壁４ａと内壁４ｂのいずれかあるいは両方を、折曲挿入片１２を係止溝１１に入れるときに弾性的に変形する構造として、折曲挿入片１２を抜けないように係止溝１１に連結できる。それは、折曲挿入片１２を係止溝１１に入れた後に、弾性変形した枠体部４が復元して、係止凸部１８を係止凹部１９に入れる状態に保持するからである。
【００２９】
枠体部４は、出力端子８を外部に表出される電極窓１６を開口している電極カバー枠４Ａを四角形のひとつの辺としている。電極カバー枠４Ａは、他の部分よりも幅を広くして、電極窓１６を開口している。さらに電極カバー枠４Ａは、横断面形状をＬ字状として、内部に端子基板２と基板ホルダー３を収納している。この枠体部４を備えるバッテリーパックは、図１３と図１４に示すように、枠体部４の電極カバー枠４Ａとラミネート電池１のラップ部１ａとの間に、端子基板２と基板ホルダー３を配設する。図のバッテリーパックは、３つの出力端子８を設けているので、電極カバー枠４Ａには３つの電極窓１６を開口している。
【００３０】
枠体部４の両面に第１のプレート５と第２のプレート６を固定するバッテリーパックは、図３に示すように、枠体部４の電極カバー枠４Ａを、第２のプレート６の切除部６ｂに嵌入される電極窓１６を設けた電極表出部分１７を表面に突出させて、電極表出部分１７の表面を第２のプレート６の表面と同一平面としている。このバッテリーパックは、枠体部４に第２のプレート６を固定して、第２のプレート６と枠体部４の表面を同一平面にできる。
【００３１】
枠体部４と第２のプレート６をプラスチックで一体的に成形するバッテリーパックは、図８に示すように、枠体部４の電極カバー枠４Ａに設けた電極窓１６を外部に表出させるように、枠体部４と第１のプレート５とを一体的に成形する。
【００３２】
第１のプレート５は、ラミネート電池１の第１の外装フィルム１Ａ側に積層されて、ラミネート電池１の表面を保護し、第２のプレート６は、第２の外装フィルム１Ｂの表面に積層されてラミネート電池１の裏面を保護する。折曲挿入片１２を係止溝１１に入れて枠体部４に連結するプレートは、弾性変形できる金属板である。金属板で製作されるプレートは、厚さを０．１ｍｍとするＳＵＳ３０４のステンレス板である。このプレートは、薄くて極めて強靭な特長がある。ただし、プレートは、さらに薄くあるいは厚くすることもできる。たとえば、厚さを０．０５〜０．３ｍｍとすることもできる。プレートは、ステンレスに代わって、鉄や鉄合金、あるいはアルミニウムやアルミニウム合金等とすることもできる。
【００３３】
金属板のプレートは、周縁部分に折曲挿入片１２を設けている。金属板であるプレートは、四角形である全ての辺、すなわち４辺に折曲挿入片１２を設けている。外周の４辺に折曲挿入片１２を設けているプレートは、理想的な状態で枠体部４にしっかりと外れないように連結できる。ただし、本発明のバッテリーパックは、図示しないが、金属板であるプレートの対向する２辺に折曲挿入片を設けて、これを枠体部に連結することもできる。
【００３４】
さらに、図３のバッテリーパックは、第２のプレート６に、出力端子８を外部に表出させる切除部６ｂを設けて、切除部６ｂの両側に折曲挿入片１２を設けている。切除部６ｂは、枠体部４の電極表出部分１７を外部に表出させるので、電極表出部分１７を嵌入できる形状としている。切除部６ｂの両側に設けた折曲挿入片１２は、枠体部４に設けた係止溝１１に連結されて、第２のプレート６を枠体部４に連結する。第２のプレート６は、枠体部４の電極表出部分１７を除く全ての外周縁に折曲挿入片１２を設けて、この折曲挿入片１２を枠体部４に連結している。第１のプレート５は、外周縁の全周に折曲挿入片１２を設けて、折曲挿入片１２を枠体部４に連結している。ただし、プレートは、必ずしも外周部分の全体に折曲挿入片を設ける必要はなく、たとえば、隅部を除く部分に折曲挿入片を設けて、枠体部に連結することもできる。
【００３５】
プレートを枠体部４に連結する前工程で、ラミネート電池１のラップ部１ａに端子基板２と基板ホルダー３が配設される。端子基板２は、出力端子８を設けるためにバッテリーパック全体を厚くしないように、ラミネート電池１のラップ部１ａに配設される。ラップ部１ａが電極収納部１ｂよりも低くなって凹部となっているので、このスペースを有効に利用して出力端子８を配設する。この端子基板２は絶縁基板で、上面にバッテリーパックの出力端子８を固定している。出力端子８は、枠体部４の電極カバー枠４Ａに設けている電極窓１６から外部に表出される。この出力端子８は、バッテリーパックを装着する電気機器の端子に弾性的に押圧される。押圧力に対して出力端子８をしっかりと保持するために、出力端子８を設けている端子基板２は、基板ホルダー３とラップ部１ａと第１のプレート５で支持する。さらに、出力端子８を第２の外装フィルム１Ｂと同一面に接近させるために、背面に基板ホルダー３を配設している。
【００３６】
端子基板２は、出力端子８に加えて、ラミネート電池１の保護回路を実現する電子部品を実装することができる。この電子部品は、端子基板２の裏面に突出するように固定される。裏面の電子部品は基板ホルダー３の上面に凹部３Ｃを設けてここに配置できる。保護回路は、ラミネート電池１を過充電や過放電から防止するために充放電電流を制御する回路、過電流を検出して電流を遮断する回路、ラミネート電池１が異常に高い温度になると電流を遮断する回路等である。端子基板２は、ラミネート電池１のラップ部１ａに配置できる幅と長さの細長い形状である。図の端子基板２は、ラップ部１ａに嵌入できる長方形である。
【００３７】
基板ホルダー３は、全体をプラスチックで成形している。基板ホルダー３は、端子基板２の裏面とラミネート電池１のラップ部１ａとの間に配設されて、端子基板２の出力端子８を第２の外装フィルム１Ｂの表面と同一面に接近させる。図１８の基板ホルダー３は、周壁３Ａと凸部３Ｂを設けて、実質的な厚さを大きくして、出力端子８を第２の外装フィルム１Ｂと同一平面に位置させる。凸部３Ｂは中央部分に設けてあり、周壁３Ａは両端と一方の側縁に沿って設けている。凸部３Ｂは、図４、図９及び図１８に示すように、中央部分に幅広く設け、あるいは図示しないが、中央部分に複数設けることができる。凸部３Ｂと周壁３Ａの間に凹部３Ｃができるので、図のバッテリーパックは、この凹部３Ｃに保護素子１０を配設している。保護素子１０は、ＰＴＣ、ブレーカ、ヒューズ等である。さらに、保護回路を実現する電子部品を実装する端子基板２は、電子部品を基板ホルダー３の上面にできる凹部３Ｃに配設する。基板ホルダー３は、ラミネート電池１のラップ部１ａに嵌着できる外形に成形される。図の基板ホルダー３は、長方形に成形している。
【００３８】
以上のバッテリーパックは、以下のようにして製作される。
（１）  ラミネート電池１に端子基板２を接続して、端子基板２とラミネート電池１のラップ部１ａとの間に基板ホルダー３を配設する。このとき、必要ならば保護素子１０等も接続する。
（２）  枠体部４の内側にラミネート電池１を配設し、枠体部４にプレートを連結する。図４のバッテリーパックは、枠体部４に第１のプレート５と第２のプレート６を連結する。図９のバッテリーパックは、第２のプレート６を枠体部４に一体的に成形しているので、枠体部４に第１のプレート５を連結する。
【００３９】
プレートは、折曲挿入片１２を係止溝１１に入れて連結する。係止溝１１に入れられた折曲挿入片１２は、係止凸部１８を係止凹部１９に案内して、抜けないように枠体部４に連結される。以上のようにしてプレートを枠体部４に固定するバッテリーパックは、プレートを接着することくなく枠体部４に外れないように連結できる。また、従来のバッテリーパックのように、表面にラベル等を付着して、ラベルでプレートを枠体部４に連結する必要もない。このように、接着せず、またラベルを付着しないバッテリーパックは、極めて能率よく安価に多量生産しながら、プレートを外れないように枠体部４に連結できる。ただ、ラベルを付着しないでプレートを枠体部４に連結できるが、枠体部４に固定しているプレートの表面にラベルを付着し、また、プレートと枠体部４とを接着してより強力に連結することもできるのは言うまでもない。
【００４０】
【発明の効果】
本発明の薄型バッテリパックは、全体を小さく薄くしながら、ラミネート電池が膨れてもケースプレートを枠体部から外れないようにしっかりと連結できる特長がある。それは、本発明の薄型バッテリパックが、枠体部に連結するプレートに折曲挿入片を設けて、枠体部には係止溝を設け、さらに、折曲挿入片と係止溝にはいずれか一方には係止凸部を、他方にはこの係止凸部を抜けないように入れる係止凹部を設け、折曲挿入片を係止溝に入れて係止凸部と係止凹部とで抜けないようにプレートを枠体部に連結しているからである。
【００４１】
さらに、本発明のバッテリーパックは、プレートの折曲挿入片を係止溝に入れて、プレートと枠体部とを連結して組み立てできるので、組み立て工程を簡単にしながら、能率よく安価に多量生産できる特長もある。
【図面の簡単な説明】
【図１】従来の薄型バッテリパックの分解斜視図
【図２】図１に示す薄型バッテリパックの断面図
【図３】本発明の一実施例にかかる薄型バッテリパックの斜視図
【図４】図３に示す薄型バッテリパックの分解斜視図
【図５】図３に示す薄型バッテリパックの横断面図
【図６】図５に示す薄型バッテリパックの側部の拡大断面図
【図７】係止凸部と係止凹部の他の一例を示す拡大断面図
【図８】本発明の他の実施例にかかる薄型バッテリパックの斜視図
【図９】図８に示す薄型バッテリパックの分解斜視図
【図１０】図８に示す薄型バッテリパックの横断面図
【図１１】図１０に示す薄型バッテリパックの側部の拡大断面図
【図１２】係止凸部と係止凹部の他の一例を示す拡大断面図
【図１３】図３に示す薄型バッテリパックの端部の中央部分の拡大縦断面図
【図１４】図３に示す薄型バッテリパックの端部の両側部分の拡大縦断面図
【図１５】本発明の他の実施例にかかる薄型バッテリパックの端部の中央部分の拡大縦断面図
【図１６】折曲挿入片に設ける係止凸部の一例を示す拡大断面斜視図
【図１７】折曲挿入片に設ける係止凸部の他の一例を示す拡大断面図
【図１８】図３に示す薄型バッテリパックの端部の横断面図
【符号の説明】
１…ラミネート電池    １Ａ…第１外装フィルム  １Ｂ…第２外装フィルム
１ａ…ラップ部          １ｂ…電極収納部
２…端子基板
３…基板ホルダー      ３Ａ…周壁              ３Ｂ…凸部
３Ｃ…凹部
４…枠体部            ４Ａ…電極カバー枠
４ａ…外壁              ４ｂ…内壁
４ｃ…連結部            ４ｄ…切除部
５…第１のプレート
６…第２のプレート    ６ｂ…切除部
７…段差スペース部
８…出力端子
９…出力リード
１０…保護素子
１１…係止溝
１２…折曲挿入片
１３…スペーサー
１５…リブ
１６…電極窓
１７…電極表出部分
１８…係止凸部
１９…係止凹部
２１…ポリマー電池
２２…上下ケース
２３…枠体部
２４…金属板
【図１】
2004273371.tif 000003
【図２】
2004273371.tif 000004
【図３】
2004273371.tif 000005
【図４】
2004273371.tif 000006
【図５】
2004273371.tif 000007
【図６】
2004273371.tif 000008
【図７】
2004273371.tif 000009
【図８】
2004273371.tif 000010
【図９】
2004273371.tif 000011
【図１０】
2004273371.tif 000012
【図１１】
2004273371.tif 000013
【図１２】
2004273371.tif 000014
【図１３】
2004273371.tif 000015
【図１４】
2004273371.tif 000016
【図１５】
2004273371.tif 000017
【図１６】
2004273371.tif 000018
【図１７】
2004273371.tif 000019
【図１８】
2004273371.tif 000020